(57)【要約】【課題】商品を識別するコードを含むバーコードが複数、商品に貼り付けされていたとしても正しい商品登録が可能なＰＯＳ端末装置及びバーコードスキャナを提供すること。【解決手段】異種の第１のバーコードと第２のバーコードの読み取りが可能なバーコード読取手段（スキャナ９）と、第１のバーコードには商品を特定する情報が記憶されており、第２のバーコードには少なくとも商品を特定する情報が記憶されており、第１のバーコードと第２のバーコードとがバーコード読取手段により読み取られた場合、第１のバーコードと第２のバーコードとにより読み出された商品を特定する情報が同じか否かを判断する第１情報判断手段と、第１情報判断手段により同じ商品を特定する情報と判断され且つ第１のバーコードと第２のバーコードとが所定時間内に読み取られたと判断された場合には、一商品の登録として処理する制御手段と、を備えたことを特徴とするＰＯＳ端末装置。【選択図】図１
2010176484.tif 000002
【特許請求の範囲】
【請求項１】
異種のバーコードである第１のバーコードと第２のバーコードが付されている商品のバーコードを読み取り商品登録することが可能なＰＯＳ端末装置であって、
前記第１のバーコードと第２のバーコードの読み取りが可能なバーコード読取手段と、
前記第１のバーコードには商品を特定する情報が記憶されており、第２のバーコードには少なくとも商品を特定する情報が記憶されており、
前記第１のバーコードと第２のバーコードとが前記バーコード読取手段により読み取られた場合、前記第１のバーコードと第２のバーコードとにより読み出された商品を特定する情報が同じか否かを判断する第１情報判断手段と、
前記第１情報判断手段により同じ商品を特定する情報と判断され、且つ前記第１のバーコードと第２のバーコードとが所定時間内に読み取られたと判断された場合には、一商品の登録として処理する制御手段と、
を備えたことを特徴とするＰＯＳ端末装置。
【請求項２】
請求項１記載のＰＯＳ端末装置において、
前記第１情報判断手段により同じ商品を特定する情報と判断された場合に、一方の商品を特定する情報のみを有効にする選択手段を備え、
前記制御手段は前記選択手段により選択された商品を特定する情報に基づき登録処理することを特徴とするＰＯＳ端末装置。
【請求項３】
請求項１又は２記載のＰＯＳ端末装置において、
前記第２のバーコードに値引き情報が記憶されている否かを判断する第２情報判断手段とを備え、
前記第２情報判断手段により値引き情報が記憶されていると判断された場合、前記制御手段は前記第２のバーコード情報に基づき登録処理することを特徴とするＰＯＳ端末装置。
【請求項４】
異種のバーコードである第１のバーコードと第２のバーコードが付されている商品のバーコードの読み取りが可能なバーコードスキャナであって、
前記第１のバーコードには商品を特定する情報が記憶されており、第２のバーコードには少なくとも商品を特定する情報が記憶されており、
前記第１のバーコードと第２のバーコードとが前記バーコード読取手段により読み取られた場合、前記第１のバーコードと第２のバーコードとにより読み出された商品を特定する商品情報が同じか否かを判断する第１情報判断手段と、
前記第１情報判断手段により同じ商品を特定する情報と判断され、且つ前記第１のバーコードと第２のバーコードとが所定時間内に読み取られたと判断された場合には、一方の商品を特定する商品情報を通信可能なＰＯＳ端末装置へ送信する送信手段と、
を備えたことを特徴とするバーコードスキャナ。
【発明の詳細な説明】
【技術分野】
【０００１】
本発明は小売店などで清算等に用いられるＰＯＳ端末装置及びバーコードスキャナに関する。
【背景技術】
【０００２】
１つのバーコードの中に複数の情報を含むＧＳ１データが、今後市場に導入されることが予想される。ところが現在の既存の店舗では、ＧＳ１データバーを読み取ることができないバーコードスキャナが存在するため、商品供給メーカーは同一商品にＧＳ１データバーの他に、既に広く使用されている例えばＪＡＮコードのバーコードを付すことが予想される。この場合、大きい商品であれば、２つのバーコードを一度の読み取り操作で読み取られないような位置に付すことができる。しかしながら、小さい商品の場合には両バーコードを付す位置も限られるので、ＧＳ１データバーとＪＡＮコードの両方のバーコードを読み取ることができるスキャナでは一度の読み取り操作により、両方のバーコードを読み取ってしまう恐れがある。
【先行技術文献】
【特許文献】
【０００３】
【特許文献１】特開平８−２４１３６８号公報
【発明の概要】
【発明が解決しようとする課題】
【０００４】
上記のようにＧＳ１データバーとＪＡＮコードの両方のバーコードを読み取ると、同じ商品であれば該両コードは共通する商品を識別するコードを含んでいるので、１つの商品のバーコード読み取り操作を行ったにも関わらず二品の商品が登録されてしまう恐れがある。
【０００５】
本発明は、商品を識別するコードを含むバーコードが複数、商品に貼り付けされていたとしても正しい商品登録が可能なＰＯＳ端末装置及びバーコードスキャナを提供することを目的とする。
【課題を解決するための手段】
【０００６】
上記の課題を解決するために、本発明は、異種のバーコードである第１のバーコードと第２のバーコードが付されている商品のバーコードを読み取り商品登録することが可能なＰＯＳ端末装置であって、第１のバーコードと第２のバーコードの読み取りが可能なバーコード読取手段と、第１のバーコードには商品を特定する情報が記憶されており、第２のバーコードには少なくとも商品を特定する情報が記憶されており、第１のバーコードと第２のバーコードとがバーコード読取手段により読み取られた場合、第１のバーコードと第２のバーコードとにより読み出された商品を特定する情報が同じか否かを判断する第１情報判断手段と、第１情報判断手段により同じ商品を特定する情報と判断され、且つ第１のバーコードと第２のバーコードとが所定時間内に読み取られたと判断された場合には、一商品の登録として処理する制御手段と、を備えたことを特徴とする。
【０００７】
また、本発明は、上記ＰＯＳ端末装置において、第１情報判断手段により同じ商品を特定する情報と判断された場合に、一方の商品を特定する情報のみを有効にする選択手段を備え、制御手段は選択手段により選択された商品を特定する情報に基づき登録処理することを特徴とする。
【０００８】
また、本発明は、上記ＰＯＳ端末装置において、第２のバーコードに値引き情報が記憶されている否かを判断する第２情報判断手段とを備え、第２情報判断手段により値引き情報が記憶されていると判断された場合、制御手段は第２のバーコード情報に基づき登録処理することを特徴とする。
【０００９】
また、本発明は、異種のバーコードである第１のバーコードと第２のバーコードが付されている商品のバーコードの読み取りが可能なバーコードスキャナであって、第１のバーコードには商品を特定する情報が記憶されており、第２のバーコードには少なくとも商品を特定する情報が記憶されており、第１のバーコードと第２のバーコードとがバーコード読取手段により読み取られた場合、第１のバーコードと第２のバーコードとにより読み出された商品を特定する商品情報が同じか否かを判断する第１情報判断手段と、第１情報判断手段により同じ商品を特定する情報と判断され、且つ第１のバーコードと第２のバーコードとが所定時間内に読み取られたと判断された場合には、一方の商品を特定する商品情報を通信可能なＰＯＳ端末装置へ送信する送信手段とを備えたことを特徴とする。
【発明の効果】
【００１０】
請求項１に記載の発明によれば、異種のバーコードである第１のバーコードと第２のバーコードとが所定時間内に読み取られ、読み出された商品を特定する情報が同じと判断された場合には、一商品の登録と処理されるので誤って２つの商品が登録される恐れがなくなる。
【００１１】
また、請求項２に記載の発明によれば、第１情報判断手段により第１のバーコードの商品を特定する情報と第２のバーコードの商品を特定する情報が同じと判断された場合には、一方の商品を特定する情報のみを有効にするか否かを選択する選択手段を有するので、１つの商品により誤って二品登録されたのか、或いは２つの商品が登録されたのかを選択できるので実際の操作に合わせて登録を進めることができる。
【００１２】
また、請求項３に記載の発明によれば、第２情報判断手段により第２のバーコードに値引き情報が設定されていると判断した場合、制御手段は第２のバーコード情報に基づき登録処理するので、値引き情報が加味されて商品登録がされ、正しい価格にて商品登録が可能となる。
【００１３】
また、請求項４に記載の発明によれば、情報判断手段により第１のバーコードの商品を特定する情報と第２のバーコードによる商品を特定する情報が同じと判断された場合には、一方の商品を特定する情報が、送信手段で通信可能なＰＯＳ端末装置へ送信されるので、異種のバーコードが同一商品に付されている場合で、当該商品の商品登録の際、両方のバーコードが読み取られた場合であっても誤って２つの商品として登録される恐れが無くなる。また、上記判断をスキャナが行うので、既存のＰＯＳ端末装置に該判断する機能を導入する場合でもＰＯＳ端末装置側のプログラムを何ら変更することがないので、導入が容易になる。
【図面の簡単な説明】
【００１４】
【図１】本発明の係るＰＯＳ端末装置の外観構成例を示す図である。
【図２】本発明の係るＰＯＳ端末装置の電気的システム構成を示すブロック図である。
【図３】スキャナの概略構成を示す図である。
【図４】スキャナの制御部の電気的システム構成を示すブロック図である。
【図５】１つの商品上に異種の２つのバーコードを付した例を示す図である。
【図６】ＰＯＳ端末装置のＲＡＭのフラグ、レジスタの構成例を示す図である。
【図７】本発明に係るＰＯＳ端末装置の商品登録処理フローを示す図である。
【図８】本発明に係るＰＯＳ端末装置の店員側表示部の表示画面例を示す図である。
【図９】本発明に係るＰＯＳ端末装置の商品ファイル例を示す図である。
【図１０】本発明の係るスキャナによる商品登録処理フローを示す図である。
【発明を実施するための形態】
【００１５】
以下、本発明の実施の形態について、詳細に説明する。図１は本発明に係るＰＯＳ端末装置の外観構成例を示す斜視図である。図１において、キャッシャ部１はキャッシャ載せ台２に載置させている。チェッカ部４は、店員と顧客との間に配置されたチェックアウトカウンタ３上に取り付けられている。
【００１６】
キャッシャ部１において、第１客側表示部５は複数個のドット表示器と、複数個の７セグメント表示器とから構成され、商品登録処理の小計額等が表示される。操作キー部６は、主に顧客と金銭の授受を行う際に用いられるもので、小計キー６ａ等の各種キーを備えている。プリンター７はレシートを印字・発行するものであり、ドロア８は紙幣やコインが収納されている。また、キャッシャ部１には液晶タッチパネル２０が設けられている。
【００１７】
また、チェックアウトカウンタ３には、スキャナ９が載置され、店員側に設けられたバーコード読取面９ａに対して店員が商品のバーコード印刷部分を向き合わせることでスキャンさせ、商品のバーコード印刷部分からバーコードに対応したコードデータを読み取る。また、チェッカ部４において、店員側表示部１０は店員と対向する斜面に配設されているので、液晶表示器（ＬＣＤ）などから構成され、商品登録処理時に、商品の品名、値段、合計金額及び各種メッセージ等が表示されるとともに、ファイル設定時或いは、メンテナンス時に各種表示がなされる。
【００１８】
第２客側表示部１１は顧客に対向する斜面に配設されたものであり、複数個のドット表示器と、複数個の７セグメント表示器とから構成され、商品登録処理時に、商品の品名、値段、合計金額及び各種メッセージ等が表示される。液晶タッチパネル１２は店員側表示部１０上に設けられており、第２操作キー部１３はテンキー及びファンクションキー等からなる。液晶タッチパネル１２はプリセットキー登録時、訂正処理時、ファイル設定時、レポート作成時及びメンテナンス時等に操作され、第２操作キー部１３は商品登録処理時に操作される。
【００１９】
つまり、本実施の形態ではチェッカ部４にいる店員がお客が購入する商品のバーコードをスキャナ９で読み取らせることで登録し、前記チェッカ部４にて登録された商品をキャッシャ部１にいる店員が呼び出し清算を行う。
【００２０】
図２は図１に示すＰＯＳ端末装置の電気的システム構成を示すブロック図である。ＰＯＳ端末装置は、ＣＰＵ（中央処理装置）１４とバスライン２４で接続された、ＲＯＭ１５、ドロア８、通信制御部１７、スキャナ通信部１９、チェッカ部用制御部２２、キャサシャー部用制御部２３を備えている。ＣＰＵ１４はＰＯＳ端末装置の各部を制御する。ＲＯＭ１５はＣＰＵ１４において用いられる制御プログラムや文字パターンが格納されている。ＲＡＭ１６には図６（ａ）に示す登録バッファ１、２、３、・・・、ＰＬＵファイル、・・・、等で構成されている。
【００２１】
通信制御部１７には光ファイバー１８が接続され、光ファイバー１８を介してデータ通信が出来るようになっている。スキャナ通信部１９にはスキャナ９が接続され、該スキャナ９で読み取ったデータをスキャナ通信部１９に送るようになっている。チェッカ部用制御部２２には店員側の液晶タッチパネル１２、第２客側表示部１１、及び第２操作キー部１３が接続されている。また、キャッシャー部用制御部２３には、店員側の液晶タッチパネル２０、第１客側表示部５、及び操作キー部６が接続されている。
【００２２】
ＰＯＳ端末装置は、マスタ・サテライト方式のＰＯＳシステムであり、ＣＰＵ１４が通信制御部１７及び光ファイバー１８を介してポーリング・セレクティング方式により図示せぬマスタと交信を行い、マスタから送信される、ＰＬＵ（Ｐｒｉｃｅ  Ｌｏｏｋ  Ｕｐ）コードに応じた品名、売価等の商品データを受信するとともに、ＲＡＭのＰＬＵファイルに記憶したＰＬＵコードに応じた売上金額や買上点数などの各種実績データをマスタへ送信する。スキャナ通信制御部１９はスキャナとの通信を制御するもので、スキャナ９から送信されたコードデータを受信してＣＰＵ１４に転送する。
【００２３】
図３はスキャナ９の概略構成を示す図である。スキャナ９はバーコード読取面９ａ（図１参照）を通して複数のＬＥＤ（光源３１）からラベル３２に印字されたバーコード３３に対して光を均一に照射し、バーコード３３にて反射光を光源３１の後方に配設されたミラー３５、レンズ３６を介して、バーコード３３の像をラインセンサ３７上に映し出し、ラインセンサ３７は、１０００から２０００の受光素子が一列に並んで構成され、映し出されたバーコード３３の像をラインセンサ３７の端から順に電気信号に変換して制御部４０に出力する。
【００２４】
図４はスキャナ９の制御部４０の電気的システム構成を示すブロック図である。制御部４０はＣＰＵ４１にバスライン４２で接続された、ＲＯＭ４３、ＲＡＭ４４、光源制御部４５、Ａ／Ｄ変換部４６、デコード部４７、及びインターフェース４８を備えている。光源制御部４５には光源３１が接続されている。Ａ／Ｄ変換部４６にはラインセンサ３７が接続されている。また、インターフェース４８にはＰＯＳ端末装置のスキャナ通信部１９が接続されている。
【００２５】
ＣＰＵ４１はＲＯＭ４３に記憶されている所定の制御プログラムを読み出し実行することにより各部を制御する。ＲＡＭ４４は、各種データを一時的に記憶する記憶部である。光源制御部４５は、タッチスキャンモード及びスライドスキャンモードの各読み取り方法に応じて、バーコード３３に光を照射する光源３１を制御する。即ち、タッチスキャンモードのとき、光源３１の全てのＬＥＤから光を照射し、スライドスキャンモードのとき、光源３１の一部のＬＥＤからのみ光を照射するように制御する。Ａ／Ｄ変換部４６は、ラインセンサ３７より受信した電気信号を図示しない増幅回路、デジタル変換回路により、デジタル信号に変換する。
【００２６】
デコード部４７は、変換されたデジタル信号について、スタートコード（バーコード３３の始まりを識別させるコード）及びストップコード（バーコード３３の末尾を識別させるコード）を識別し、その間のバー及びスペースの時間間隔の測定を行って各々のコードキャラクタを決定し、そのコードキャラクタの組み合わせを予め記憶されている図示しない複数種類のバーコード情報に照合させてバーコード３３を解析する。
【００２７】
図５は１つの商品にＧＳ１データバーによるバーコード１０３と、ＪＡＮコードの１３桁のバーコード１０４との異種のバーコードが２つ貼付されている商品例を示す図である。図示するように商品名ＡＡＡである１つの商品１００の表面にＧＳ１データバーによるバーコード１０１と、ＪＡＮコードの１３桁のバーコード１０２が貼付されている。このようにＧＳ１データバーによるバーコード１０１と、ＪＡＮコードのバーコード１０２が貼付されている商品１００を図１に示す固定のスキャナ９に該商品のバーコードが付されている面をかざしながらバーコードの読み取り操作をすると、２つのバーコードが同時に読み取られてしまう恐れがある。この例では両バーコードは接近した位置に貼付されている。大きな商品であれば、２つのバーコードを離した位置にそれぞれ貼付又印字することもできる。しかし、小さい菓子やパン等の商品においてはバーコードを貼付又は印字できる領域が限られるので必然的に両バーコードは接近した位置に貼付又は印字され、前記のように一度のバーコードの読み取り操作で両方のバーコードが読み取られてしまう恐れがある。
【００２８】
図６（ａ）はＲＡＭ１６の記録エリアを示す図である。図示するように記録エリアには、フラグ、レジスタのエリアの他に１客目に登録された商品に関し、バーコードから読み出された情報を記憶する登録バッファ１、２客目に登録された商品に関し、バーコードから読み出された情報を記憶する登録バッファ２、３客目に登録された商品に関し、バーコードから読み出された情報を記憶する登録バッファ３、・・・、その他ＰＬＵファイル等が記憶されている。図６（ｂ）は登録バッファ１の内容を示し、図５に示す商品のバーコードが読み取られた際の図である。図示するように、ここでは登録バッファ１には、１つ目として４９８７３０６０５５５４４の商品識別コードが、２つ目として同じ４９８７３０６０５５５４４の商品識別コードが記憶されている。
【００２９】
図７は本ＰＯＳ端末装置の商品登録処理フローを示す図である。同図に基づいて商品登録処理を説明する。先ず、ステップＳＴ１で商品に付されているバーコードを読み取る。商品に付されているＧＳ１データバーのバーコード（以下単に「ＧＳ１」と記す）と、ＪＡＮコード（以下単に「ＪＡＮ」と記す）の読み取りに際しては、バーコードに光源３１から光が照射される。バーコードで反射された光はラインセンサ３７により電気信号に変換され、Ａ／Ｄ変換部４６により、デジタル信号に変換される。該変換されたデジタル信号についてスタートコード（バーコードの始まりを識別するコード）、ストップコード（バーコードの末尾を識別するコード）、その間のバーやスペースの時間間隔を測定してバーコードを特定する。
【００３０】
一度のバーコード読み取り操作で１つ目のバーコードが、例えばＧＳ１と特定された場合には、ＡＩ（アプリケーション識別子）が“０１”である項目の１４桁の情報のうち、先頭（最上位の桁）の一桁の情報を除いた残り１３桁の情報を商品識別コードとして特定し（図５の例では“４９８７３０６０５５５４４”）、図６（ｂ）に示すように、１つ目に該１３桁の商品識別コードが記憶される。また、続けてバーコードが読み取られ、ＪＡＮと判断された場合には、読み出された１３桁の識別コード（図５の例では“４９８７３０６０５５５４４”）が、２つ目に記憶される。また、１つ目のバーコードが読み取られてから、２つ目のバーコードが読み取られるまでの時間を計測し、ＲＡＭ１６の所定のエリアに記憶する。
【００３１】
次に、ステップＳＴ２では、ステップＳＴ１でのバーコード読み取り操作で２つの識別コードがＲＡＭ１６の登録バッファ１に順次記憶されたかを判断し、イエス（Ｙ）の場合ステップＳＴ３に移行し、ノー（Ｎ）の場合は１つの商品識別コードが読み取られたと判断し、ステップＳＴ７に移行する。
【００３２】
ステップＳＴ３では、ステップＳＴ１で登録バッファ１に記憶された商品識別コードが同じか否かを判断し、イエス（Ｙ）の場合はステップＳＴ４に移行し、ノー（Ｎ）の場合はステップＳＴ１０に移行する。
【００３３】
ステップＳＴ４では、ステップＳＴ１で読み取られた２つのバーコードの読み取りが予め設定された所定時間、例えば１秒以内になされたか否かが判断される。つまりステップＳＴ１で記憶された時間が所定時間内かどうかが判断される。イエス（Ｙ）であればステップＳＴ５に移行し、ノー（Ｎ）でればステップＳＴ１０に移行する。即ち、所定時間内であれば、１つの商品に２つのバーコードが貼付された商品のそれぞれのバーコードがスキャンされたことを意味し、所定時間を越え商品識別コードが記憶された場合には、別の商品に貼付されたバーコードがそれぞれスキャンと判断する。
【００３４】
ステップＳＴ５では、同一商品に付された２つのバーコードが所定時間内にスキャンされたと判断されたので、２つ目の登録を中止するかを選択する表示をチェッカ部４の店員側表示部１０へ表示する。図８はこの店員側表示部１０へ表示する表示画面例を示す。図示するように「同一商品が２度読まれましたので２つ目を中止しますか？」のメッセージが表示され、「はい」、「いいえ」のタッチキーが表示される。
【００３５】
ステップＳＴ６では、ステップＳＴ５で表示された２つ目の登録を中止する「はい」のタッチキーが選択されたかを判断し、イエス（Ｙ）の場合は登録バッファ１に記憶されている商品識別コードのうち２つ目のコードをクリアし、ステップＳＴ７に移行し、ノーの場合はステップＳＴ１０に移行する。
【００３６】
ステップＳＴ７では、他の商品のバーコード読み取りが有るか否かが判断され、イエス（Ｙ）の場合ステップＳＴ２へ移行し上記処理を繰り返し、ノー（Ｎ）の場合はステップＳＴ８に移行する。
【００３７】
ステップＳＴ８では、チェッカ部４の第２操作キー部１３に配置されている現計キー１３ａが押されることでＲＡＭ１６の登録バッファ１に記憶されている内容が確定する。
【００３８】
ステップＳＴ９では、キャッシャ部１の操作キー部に配置さされている小計キー６ａを押すことで登録バッファ１に記憶されているデータが読み出され、該データとＰＬＵファイルの全額に基づき買上金額が算出され、預かった金額を置数することで清算される。
【００３９】
ステップＳＴ１０では、ステップＳＴ１で記憶された登録バッファ１の１つ目の商品に加えて２つ目の商品を商品識別コードにて登録する。
【００４０】
なお、上記商品登録処理では、ステップＳＴ３で同一の商品識別コードかを判断し、イエス（Ｙ）の場合、次にステップＳＴ４で２つのバーコードの読み取りが所定時間内かを判断しているが、先に読み取られた２つのバーコードの読み取りが所定時間内かどうかを判断し、イエス（Ｙ）の場合、次に同一の商品識別コードかを判断してもよい。
【００４１】
また、上記実施例では、ＧＳ１、ＪＡＮ共に商品識別コードのみが記憶されている例で、ＡＩが「０１」の商品識別コードだけを識別するようにしたために、登録バッファ１に記憶される１つ目の商品識別コードと２つ目の商品識別コードのうちいずれをクリアしても変わらないため、前記例では２つ目の商品識別コードをクリアしたが、読み出されたＧＳ１のコード情報に値引き情報に該当するＡＩの情報が含まれている場合はＪＡＮコードから読み出された商品識別コードをクリアする。つまり、先の例ではＧＳ１、ＪＡＮ共に商品識別コードのみが記憶されている例であったので、登録バッファの１つ目、２つ目の記憶エリアにバーコードから読み出された商品識別コードのみが記憶されている例で示したが、企業間で決定できるＡＩの「９７」を値引き情報とし、ＧＳ１のバーコードが読み取られ、ＡＩ「９７」の情報が含まれている場合は、読み出された商品識別コードの他に、ＡＩ「９７」である値引き情報が登録バッファ１に記憶され、更に値引き情報が含まれていることを示す情報も記憶される（例えば商品識別コードに続いて、値引きを示す「９７」の前後にスペースが入り、その後ろのスペースの後に値引き金額、例えば１００円を示す１００が続く）。これにより、上記例のように、同じ商品識別コードが登録バッファ１に記憶されたとしても、前記値引き情報が含まれていることを示す情報（スペース９７スペース）が付されていない商品識別コード、つまりＪＡＮコードから読み出された商品識別コードがクリアされる。
【００４２】
そして、登録バッファ１には、ＧＳ１に基づく商品識別コードの他、値引き情報（例えば１００円引きや、１０％引き）が記憶されているので、ステップＳＴ９での清算の際に該値引き情報と、図９に示す商品ファイルからの読み出される値段に基づき清算処理される。なお、商品ファイルには、図９に示すように、ＰＬＵコード、品名、値段、・・・の各項目が設けられ、ＲＡＭ１６内に格納されている。なお、ステップＳＴ４の所定時間は、例えばメンテナンスモードにて任意の時間を設定可能になっている。このように、スキャナ９に対して商品のバーコードが付されている面を向き合わせてバーコードを読み取る場合、一回の読み取り操作で両方のバーコードが読み取られる可能性があるが、上記のように同じ商品識別コードであれば、一つの商品として登録され、また、ＧＳ１に値引き情報が含まれている場合は、ＧＳ１に基づく商品識別コードと、該値引き情報により登録されるので正しい価格にて登録される。
【００４３】
上記実施形態例では、ＰＯＳ端末装置にて、一度の読み取り操作で２つのバーコードを読み取ったか否を判断するようにしたが、該判断をＰＯＳ端末装置で行うのではなく、スキャナで判断するようにしてもよい。図１０は２つのバーコードを読み取ったか否をスキャナで判断する処理フローを示す図である。
【００４４】
まず、ステップＳＴ２０でバーコードを読み取る。ＧＳ１と、ＪＡＮの読り取りに際しては、バーコード３３に光源３１から光が照射される。バーコード３３で反射された光はラインセンサ３７により電気信号に変換され、Ａ／Ｄ変換部４６により、デジタル信号に変換される。該変換されたデジタル信号についてスタートコード、ストップコードを識別し、その間のバーやスペースの時間間隔を測定してバーコードを特定する。
【００４５】
一度の読み取り操作で１つ目のバーコードが例えばＧＳ１と特定された場合には、ＡＩが“０１”である項目の１４桁の情報のうち、先頭（最上位の桁）、例えば一桁の情報を除いた残りの１３桁の情報を商品識別コードとして特定し、スキャナ９のＲＡＭ４４の所定エリア（図６（ｂ）に相当）の例えば１つ目として該１３桁の商品識別コードが記憶される。また、続いてＪＡＮと判断された場合には、読み出された１３桁の識別コードが、該スキャナ９のＲＡＭ４４の所定エリアの２つ目として記憶される。また、１つ目のバーコードが読み取られ、２つ目のバーコードが読み取られるまでの時間が計測され、スキャナ９のＲＡＭ４４の所定エリアに記憶される。
【００４６】
ステップＳＴ２１では、ステップＳＴ２０でのバーコード読み取り操作で２つの商品識別コードがスキャナのＲＡＭの所定エリアに順次記憶されたかを判断する。イエス（Ｙ）の場合はステップＳＴ２２へ移行し、ノー（Ｎ）の場合１つの商品識別コードが読み取られたと判断しステップＳＴ２４へと移行する。
【００４７】
ステップＳＴ２２では、２つのバーコードが予め設定された所定時間、例えば１秒以内に読み取られたか否かを判断する。イエス（Ｙ）の場合はステップＳＴ２３へ移行し、ノー（Ｎ）の場合は２つの商品が読み取られたものと判断しステップＳＴ２６へ移行する。
【００４８】
ステップＳＴ２３では、ステップＳＴ２０で記憶された商品識別コードが同じか否かを判断する。イエス（Ｙ）の場合はステップＳＴ２０でスキャナ９のＲＡＭ４４の所定エリアに記憶した２つ目の商品識別コードをクリアし、ステップＳＴ２４に移行し、ノー（Ｎ）の場合はステップＳＴ２５へ移行する。
【００４９】
ステップＳＴ２４では、ＲＡＭ４４の所定エリアに記憶されている１つの商品識別コードがインターフェース４８、ＰＯＳ端末装置のスキャナ通信部１９を介してＰＯＳ端末装置のＣＰＵ１４に送信される。
【００５０】
ステップＳＴ２５では、他の商品のバーコードが読み取りが有るか否かが判断され、イエス（Ｙ）の場合ステップＳＴ２１へ移行し、上記処理を繰り返し、ノーの場合終了する。
【００５１】
ステップＳＴ２６では、２つの商品のそれぞれに付されたバーコードが読み取られたと判断し、ステップＳＴ２０で記憶された２つの商品識別コードがインターフェース４８、ＰＯＳ端末装置のスキャナ通信部１９を介してＰＯＳ端末装置のＣＰＵ１４に送信される。このように一回の読み取り操作で２つのバーコードが読み取られ、それぞれの商品識別コードで同じか否かをスキャナで判断することで、ＰＯＳ端末装置のプログラムを何ら変更する必要がないので、容易に既存のＰＯＳ端末装置にて、同機能を実行することができる。
【００５２】
なお、上記実施形態例では、チェッカ部４とキャッシャ部１が分かれているＰＯＳ端末装置で説明したが、チェッカ部４とキャッシャ部１とが一体となっているＰＯＳ端末装置でも良い。
【００５３】
また、上記実施形態例では、スキャナは縦型で固定式のスキャナ９であるが、オペレータが手でスキャナを持ちバーコードを読み取るハンドスキャナであってもよい。また、スキャナに操作部と表示部とを設け、図８に示す選択をスキャナにおける表示部に表示し、操作部により選択させるようにしてもよい。
【産業上の利用可能性】
【００５４】
本発明は、第１のバーコード、第２のバーコードの読み取りが可能なバーコード読取手段と、第１のバーコードには商品を特定する情報が設定されており、第２のバーコードには識別可能な複数の項目がそれぞれに情報が設定されており、第１のバーコードと第２のバーコードとが所定時間内に、バーコード読取手段により読み取られた場合、第１のバーコードの商品を特定する情報が、第２のバーコードの複数の項目に含まれているか否かを判断する第１情報判断手段と、第１情報判断手段により第１のバーコードの商品を特定する情報が前記第２のバーコードの複数の項目に含まれていると判断された場合には、一商品の登録として処理する制御手段とを備えているので、商品を識別するコードを含むＧＳ１とＪＡＮのように異種のバーコードが複数、同一商品に貼り付けされていたとしても正しい商品登録が可能なＰＯＳ端末装置及びバーコードスキャナとして利用できる。
【符号の説明】
【００５５】
１  キャッシャ部
２  キャッシャ載せ台
３  チェックアウトカウンタ
４  チェッカ部
５  第１客側表示部
６  操作キー部
７  プリンター
８  ドロア
９  スキャナ
１０  店員側表示部
１１  第２客側表示部
１２  液晶タッチパネル
１３  第２操作キー部
１４  ＣＰＵ（中央処理装置）
１５  ＲＯＭ
１６  ＲＡＭ
１７  通信制御部
１８  光ファイバー
１９  スキャナ通信部
２０  液晶タッチパネル
２２  チェッカ部用制御部
２３  キャッシャー部用制御部
３１  光源
３２  ラベル
３３  バーコード
３５  ミラー
３６  レンズ
３７  ラインセンサ
４０  制御部
４１  ＣＰＵ
４２  バスライン
４３  ＲＯＭ
４４  ＲＡＭ
４５  光源制御部
４６  Ａ／Ｄ変換部
４７  デコード部
４８  インターフェース
【図１】
2010176484.tif 000003
【図２】
2010176484.tif 000004
【図３】
2010176484.tif 000005
【図４】
2010176484.tif 000006
【図５】
2010176484.tif 000007
【図６】
2010176484.tif 000008
【図７】
2010176484.tif 000009
【図８】
2010176484.tif 000010
【図９】
2010176484.tif 000011
【図１０】
2010176484.tif 000012